(57)【要約】【課題】環の長さ調節を可能にして首の太い人や細い人も既製品を見栄えの良い形で使用できるようにした連タイプのネックレスを提供する。【解決手段】真珠１を糸２で連ねて形成される連３の一端にフック１２を設け、そのフック１２を真珠１間のくびれ部８に掛けて連３を接続し環にするようにした。フック１２を掛けるくびれ部の位置を変えると環の長さが変わり、長さが適当でないことによる印象の変化や見栄えの悪化が起こらない。フック１２は、開閉可能に連結された一対の半環状部材１２ａで構成されるとともに、各半環状部材１２ａの開放側先端にそれぞれ相互に吸着し合う永久磁石１２ｂが取り付けられている。【選択図】  図２
2006150101.tif 000002
【特許請求の範囲】
【請求項１】
多数の玉を連ねて形成した連の一端に、ふところの入口を開閉可能となしたフックが設けられ、そのフックを、連の他端側の任意の位置の玉間のくびれ部に掛けて連の一端を他端側に着脱自在に接続するようにしたネックレスであって、
前記フックは、開閉可能に連結された一対の半環状部材で構成されるとともに、各半環状部材の開放側先端にそれぞれ相互に吸着し合う永久磁石が取り付けられたことを特徴とするネックレス。
【請求項２】
前記フックは、２つ折りとされた軟質樹脂製の紐から構成されるとともに、該紐の両端にそれぞれ相互に吸着し合う永久磁石が取り付けられたことを特徴とする請求項１に記載のネックレス。
【請求項３】
前記フックは、２つ折りとされた軟質樹脂製の紐から構成されるとともに、該紐の両端にそれぞれ相互に係合する面ファスナが取り付けられたことを特徴とする請求項１に記載のネックレス。
【請求項４】
前記フックは、前記玉の径よりも小さい内径を有する引き輪で構成されたことを特徴とする請求項１に記載のネックレス。
【請求項５】
前記フックは、前記玉の径よりも小さい内径を有し、一部が切り欠かれて開口部とされるとともに該開口部がばねにより付勢されたレバーで操作される閉止部材によって開閉可能に閉止された輪で構成されたことを特徴とする請求項１に記載のネックレス。
【請求項６】
前記玉が真珠である請求項１乃至５のいずれか一つに記載のネックレス。
【請求項７】
前記フックに装飾体を取付けた請求項１乃至６のいずれか一つに記載のネックレス。
【発明の詳細な説明】
【技術分野】
【０００１】
この発明は、真珠等の玉を多数連ねて形成される連タイプのネックレスに関する。
【背景技術】
【０００２】
長さの短いネックレス、例えば、チョーカー、プリンセス、マチネ（これ等は主にパールネックレスで使用される長さの名称）は、ロープ・ネックレスのように頭からかぶって首に掛けることができない。このため、連（多数の玉を中に糸などを通してつないだもの）を直線状に形成し、その連の両端を着脱自在に接続するようにしている。
【０００３】
連の両端の接続は、種々の留め具を用いて行われる。
【０００４】
ネックチェーンの場合、留め具として引き輪とその輪に掛けるプレートなどが多用されているが、連タイプのネックレスは引き輪などを用いると継ぎ目が目立って装飾効果が損なわれることから、差込みクラスプ、中折れクラスプ、それ等のクラプスに装飾体を付けてデザイン上のポイントにし、継ぎ目をフロントやサイドにもってこれるようにしたものなどがよく用いられている。
【０００５】
いずれにしろ、従来用いられている留め具は、雌雄の留め金具が対をなすものであり、連の一端と他端にその雌雄の留め金具を取付けている。
【発明の開示】
【発明が解決しようとする課題】
【０００６】
既製品のネックレスはその長さが決まっている。例えば、パールネックレスＡの図８（ａ）に示すチョーカーは、その長さが約３５ｃｍ、同図（ｂ）のプリンセスはほぼ４０〜４３ｃｍ、同図（ｃ）のマチネは約５３ｃｍ、同図（ｄ）のオペラは約７１ｃｍである。チョーカーは図８（ａ）のように首もとにぴったりと沿い、プリンセス、マチネ、オペラの順にラインの位置が下がって身につけたときの印象がそれぞれに異なる。ところが、この印象は、使用者の体格や首の太さによって変わる。例えば、首の細い人がチョーカーを装着するとプリンセスに見え、プリンセスはマチネのような印象を与えることがある。また、逆に首の太い人がマチネをつけるとプリンセスのように見え、プリンセスはチョーカーのように見えることがある。
【０００７】
このように、使用者の体格や首の太さによって印象が変わると身につけた衣装との調和がとれなくなることがあり、好ましくない。
【０００８】
そこで、連タイプネックレスの長さ調節について検討した。長さを自由に調節できれば、首の太さの違いによる印象の変化を防止でき、また、ひとつのネックレスをいくつかの形態に使い分けることも可能になる。
【０００９】
ところが、従来の連タイプネックレスは、雌雄の留め金具を用いて連の両端を接続するので、長さを変化させることができない。
【００１０】
なお、ネックチェーンは、アジャスタ（これもチェーン）を付けて長さを調節可能となしたものがあるが、連タイプのネックレスの場合、ネックチェーン用のアジャスタは異和感が強く、美観を損なうため使用し難い。
【００１１】
そこで、この発明は、連タイプネックレスの長さ（環の長さ）調節を美観を損なわずに可能ならしめることを課題としている。
【課題を解決するための手段】
【００１２】
上記の課題を解決するため、この発明においては、直線的に形成した連の一端に、ふところの入口を開閉可能となしたフックを設け、そのフックを、連の他端側の任意の位置の玉間のくびれ部に掛けて連の一端を他端側に着脱自在に接続するようにしたのである。
【００１３】
このようにすると、フックを掛ける位置を変えて環の長さをくびれ部の配列ピッチと同一ピッチで多段階に自由に変化させることができる。
【００１４】
また、フックを連の長手途中に掛けたときには連の一部が環の外側に垂れ、デザインに変化が生じて斬新な感じを与える。
【００１５】
ここで、フックとしては、開閉可能に連結された一対の半環状部材で構成されるとともに、各半環状部材の開放側先端にそれぞれ相互に吸着し合う永久磁石が取り付けられたものとされる。
【００１６】
また、フックとしては、２つ折りとされた軟質樹脂製の紐から構成されるとともに、該紐の両端にそれぞれ相互に吸着し合う永久磁石が取り付けられたものであってもよい。
【００１７】
また、フックとしては、２つ折りとされた軟質樹脂製の紐から構成されるとともに、該紐の両端にそれぞれ相互に係合する面ファスナが取り付けられたものであってもよい。
【００１８】
また、フックとしては、前記玉の径よりも小さい内径を有する引き輪で構成されたものであってもよい。
【００１９】
また、フックとしては、前記玉の径よりも小さい内径を有し、一部が切り欠かれて開口部とされるとともに該開口部がばねにより付勢されたレバーで操作される閉止部材によって開閉可能に閉止された輪で構成されたものであってもよい。
【００２０】
なお、使用する玉は真珠が好ましい。真珠は養殖技術が確立しているので入手し易く、しかも、万人に好まれる。また、真珠はほぼ真球であるのでフックの掛け外しもスムーズに行える。
【００２１】
また、フックに装飾体を取付けるのも好ましい。装飾体をつけると、フックが目立たなくなるのに加え、装飾体がデザイン上のポイントになり、ネックレスの華やかさが増す。
【発明の効果】
【００２２】
この発明のネックレスは、連の一端にふところの入口を開閉できるフックをつけ、そのフックを連の他端側の玉間のくびれ部に掛けるようにしたので、フックを掛ける位置を自由に変えて環の長さを調節することができ、首の太い人や細い人も、既製品を見栄えの良い形で使用することが可能になるとともに、連の長さ次第では、ひとつのネックレスを、チョーカー、プリンセス、マチネなどとして使い分けることも可能になる。
【００２３】
また、連の両端をつないだときと、途中をつないだときとではデザインが異なり、同一ネックレスをデザインを変化させて楽しむこともできる。
【００２４】
さらに、フックは、いずれのタイプにあっても永久磁石を着脱させるなどその開閉が極めて簡単であるため、特に見づらい顎下や首の後ろでの掛け外し作業が極めて簡単に行うことができる。
【００２５】
また、フックに装飾体をつけた場合は華やかさが増す。
【発明を実施するための最良の形態】
【００２６】
図１及び図２に、この発明のネックレスの実施形態を示す。図のネックレスは、真珠１を用いたパールネックレスである。
【００２７】
糸２を真珠の中心にあけた小孔（図示せず）に通し、その糸２で多数の真珠１を一列につないで連３を構成している。糸２の一端は止め輪４で引留め、他端は外れ止め処理を施して連３の一端の真珠に接着したキャップ状の飾り金具５で覆い隠している。
【００２８】
なお、ここでは、体裁を良くするために止め輪４に銀の飾り玉６を吊り下げたが、飾り玉６は必須のものではない。
【００２９】
また、糸２は絹糸を用いたが、ナイロン糸やしなやかなワイヤーなどで代替してもよい。
【００３０】
飾り金具５は孔付きの金具であり、この金具５にフック１２を取付けている。
【００３１】
フック１２は、図４に示すように、中折れ式であり、半環状部材１２ａの先端に取付けた異極性の永久磁石１２ｂを吸着させて口の閉鎖状態を保つようにしてある。永久磁石１２ｂは、雌雄一対の係止具に置き代えてもよい。
【００３２】
このフック１２を、図２及び図３に示すように、連３の他端側の真珠間のくびれ部８に掛けて連の接続を行い、連３を環にする。
【００３３】
フック１２は、くびれ部８に掛け外しするとき、開放側先端の永久磁石１２ｂをその磁力に抗して半環状部材１２ａを互いに離れる方向に引っ張ることで開く。そして、フック１２をその状態でくびれ部８の箇所に持っていき半環状部材１２ａを閉じる方向に摘むと再び永久磁石１２ａが磁着しフック１２が閉じる。従って、くびれ部８に掛けているときにフック１２が自然に外れることはまずない。
【００３４】
また、フック１２には、真珠をあしらった装飾体９をロウ付けして取付けている。図の装飾体は花模様であるが、図柄は任意に決めてよい。この装飾体９をフロントやサイドにもってくるとネックレスの華やかさが増す。なお、図４においては、装飾体９を省略している。
【００３５】
このようになるネックレスにあっては、図２に示すように、フック１２を掛ける位置が連の他端からずれると、連３の一部が環の外側に垂れ下がり、斬新な感じが生まれる。
【００３６】
環の長さ調節は、くびれ部８の配列ピッチに合わせて多段階に行え、従って、使用者の首の太さがまちまちであっても、それぞれの使用者に合った大きさの環を形成して見栄えを良くすることができる。
【００３７】
なお、例示のネックレスは、全長をプリンセスとマチネの中間的な長さ（４８〜４９ｃｍ）にしており、首周りの寸法が標準的な人の場合、環の長さ調節により、チョーカー、プリンセス、マチネの３形態に使い分けることができる。
【００３８】
図５乃至図７は、連の一端に設けるフックの変形例を示している。
【００３９】
図５のフック１３は、軟質樹脂（ポリエチレン、ナイロン等）製の紐１３ａを２つ折りにし、その紐の両端を面ファスナ１３ｂやそれに代わる磁石などで切り離し可能に連結するものを示している。
【００４０】
図６のフック１０は、市販品と同じ構造の引き輪であって、輪の内径を真珠１の玉径よりも小さくしてある。
【００４１】
図７のフック１１は、ばね（図示せず）の力で閉じた口をレバー１１ａを操作して開く、ポピュラーなフックである。
【００４２】
このように、連の他端側の玉間に掛けるフックは、種々の形態のものを利用できる。
【産業上の利用可能性】
【００４３】
本発明は、真珠のネックレスに好適に用いることができる。
【図面の簡単な説明】
【００４４】
【図１】本発明に係るネックレスの実施形態を示す正面図である。
【図２】図１に示すネックレスの連の接続状態の一例を示す正面図である。
【図３】フックの係止状態を示す図である。
【図４】フックを示す斜視図である。
【図５】フックの他の例を示す正面図である。
【図６】フックのさらに他の例を示す正面図である。
【図７】フックのさらに他の例を示す正面図である。
【図８】パールネックレスの長さの名称を表す図であり、（ａ）はチョーカー、（ｂ）はプリンセス、（ｃ）はマチネ、（ｄ）はオペラをそれぞれ示す。
【符号の説明】
【００４５】
１    玉（真珠）
２    糸
３    連
４    止め輪
５    飾り金具
６    飾り玉
８    くびれ部
９    装飾体
１０、１１、１２、１３  フック
【図１】
2006150101.tif 000003
【図２】
2006150101.tif 000004
【図３】
2006150101.tif 000005
【図４】
2006150101.tif 000006
【図５】
2006150101.tif 000007
【図６】
2006150101.tif 000008
【図７】
2006150101.tif 000009
【図８】
2006150101.tif 000010